(57)【特許請求の範囲】
【請求項１】
吸収体と、前記吸収体が股下部に固定された外装体とを備えた吸収性物品であって、
前記外装体の前記股下部の長手方向略中央部より背側部側に幅方向に延在する第１弾性部材が設けられ、
前記外装体の幅方向側両縁部の各々に、着用者の脚周り方向に沿って配設される一対の脚周り部が形成され、
前記脚周り部の各々には、当該脚周り部の幅方向側両端部のめくれを防止するめくれ防止手段が設けられ、
前記めくれ防止手段は、
前記脚周り部の幅方向側両端部の各々に設けられ、背側部側から前記股下部にかけて延在する第２弾性部材を備え、
前記第２弾性部材は、前記第１弾性部材と重ならないように、前記第１弾性部材の当該第２弾性部材側の端部から間隔を空けて配設されていることを特徴とする吸収性物品。
【請求項２】
前記第１弾性部材と前記第２弾性部材との間に、幅方向に延在する第３弾性部材が設けられ、
前記第３弾性部材は、前記第２弾性部材側の端部と前記第２弾性部材との間に所定間隔を空けて配設されていることを特徴とする請求項１に記載の吸収性物品。
【請求項３】
前記脚周り部の幅方向側両端部の各々に、腹側部側から前記股下部にかけて延在する第４弾性部材が設けられていることを特徴とする請求項１又は２に記載の吸収性物品。
【請求項４】
前記めくれ防止手段は、
前記脚周り部の幅方向側両端部の各々に設けられ、当該脚周り部の脚周り方向の長さを調整するための長さ調整部材を備えることを特徴とする請求項１〜３の何れか一項に記載の吸収性物品。
【請求項５】
前記めくれ防止手段は、
前記脚周り部の幅方向側両端部の各々を脚周り方向に伸縮させることを特徴とする請求項１に記載の吸収性物品。
【発明の詳細な説明】
【技術分野】
【０００１】
本発明は、体液を吸収する紙おむつなどの吸収性物品に関する。
【背景技術】
【０００２】
従来、吸収性物品には、吸収体が固定された外装体の股下部、特に、臀部側に弾性部材が配設されたものがある（例えば、特許文献１参照）。これにより、弾性部材の内側の吸収体が肌側に盛り上がった状態となって、臀部の割れ目にフィットした状態とすることができる。
【先行技術文献】
【特許文献】
【０００３】
【特許文献１】特開２０００−１４００２１号公報
【発明の概要】
【発明が解決しようとする課題】
【０００４】
しかしながら、上記特許文献１のように、股下部に弾性部材が配設されていると、外装体が幅方向中央部側に引き付けられてしまい、当該外装体の幅方向端部側、即ち、着用者の脚周り方向に沿って配設される脚周り部がめくれ易くなって、紙おむつから臀部がはみ出してしまうといった問題がある。
【０００５】
そこで、本発明の課題は、脚周り部の着用者の身体に対する装着性を向上させることができる吸収性物品を提供することである。
【課題を解決するための手段】
【０００６】
上記課題を解決するため、請求項１に記載の発明は、
吸収体と、前記吸収体が股下部に固定された外装体とを備えた吸収性物品であって、
前記外装体の前記股下部の長手方向略中央部より背側部側に幅方向に延在する第１弾性部材が設けられ、
前記外装体の幅方向側両縁部の各々に、着用者の脚周り方向に沿って配設される一対の脚周り部が形成され、
前記脚周り部の各々には、当該脚周り部の幅方向側両端部のめくれを防止するめくれ防止手段が設けられ、
前記めくれ防止手段は、
前記脚周り部の幅方向側両端部の各々に設けられ、背側部側から前記股下部にかけて延在する第２弾性部材を備え、
前記第２弾性部材は、前記第１弾性部材と重ならないように、前記第１弾性部材の当該第２弾性部材側の端部から間隔を空けて配設されていることを特徴としている。
【０００８】
請求項２に記載の発明は、請求項１に記載の吸収性物品において、
前記第１弾性部材と前記第２弾性部材との間に、幅方向に延在する第３弾性部材が設けられ、
前記第３弾性部材は、前記第２弾性部材側の端部と前記第２弾性部材との間に所定間隔を空けて配設されていることを特徴としている。
【０００９】
請求項３に記載の発明は、請求項１又は２に記載の吸収性物品において、
前記脚周り部の幅方向側両端部の各々に、腹側部側から前記股下部にかけて延在する第４弾性部材が設けられていることを特徴としている。
【００１０】
請求項４に記載の発明は、請求項１〜３の何れか一項に記載の吸収性物品において、
前記めくれ防止手段は、
前記脚周り部の幅方向側両端部の各々に設けられ、当該脚周り部の脚周り方向の長さを調整するための長さ調整部材を備えることを特徴としている。
【００１１】
請求項５に記載の発明は、請求項１に記載の吸収性物品において、
前記めくれ防止手段は、
前記脚周り部の幅方向側両端部の各々を脚周り方向に伸縮させることを特徴としている。
【発明の効果】
【００１２】
本発明によれば、着用者の脚周り方向に沿って配設される一対の脚周り部の幅方向側両端部のめくれを防止することができ、当該脚周り部の着用者の身体に対する装着性を向上させることができる。
【図面の簡単な説明】
【００１３】
【図１】本発明を適用した吸収性物品として例示する一実施形態の紙おむつの展開図である。
【図２】図１のII−II線における紙おむつの要部断面図である。
【図３】図１の紙おむつを組み立てた状態を示す斜視図である。
【図４】図１の紙おむつの股下部の一部を拡大して示す図である。
【図５】変形例１の紙おむつを示す斜視図である。
【図６】変形例２の紙おむつを示す斜視図である。
【発明を実施するための形態】
【００１４】
以下に、本発明について、図面を用いて具体的な態様を説明する。ただし、発明の範囲は、図示例に限定されない。
【００１５】
図１は、本発明を適用した一実施形態の紙おむつ１００の展開図であり、図２は、図１のII−II線における紙おむつ１００の要部断面図である。また、図３は、紙おむつ１００を組み立てた状態を示す斜視図である。
【００１６】
本実施形態の紙おむつ１００は、例えば、着用者の股下側を腹側から背側にかけて覆うパンツ形状に形成される紙おむつ１００である（図３参照）。
なお、以下の説明にあっては、着用者の背側から股下を通って腹側に亘る方向を長手方向Ｘとし、長手方向Ｘに略直交する一の方向を幅方向Ｙとする。
【００１７】
具体的には、図１〜図３に示すように、紙おむつ１００は、当該紙おむつ１００の着用者の身体と接する接触面に配されるトップシート１と、使用装着時に外部側に設けられる外装体２と、トップシート１と外装体２との間に介装される吸収体３と、この吸収体３の幅方向Ｙ両側縁部に設けられたギャザーシート４とを備えている。
【００１８】
トップシート１は、尿などの体液を速やかに透過させる透液性を有し、吸収体３の表面側（肌側）を覆う形状に形成されている。
また、トップシート１は、例えば、透液性の不織布等により形成されている。
トップシート１を形成する不織布の素材としては、天然繊維、合成繊維のいずれを用いても良い。天然繊維としては、例えば、綿、セルロース（木材パルプ）、羊毛、絹等が挙げられる。また、合成繊維としては、例えば、ポリプロピレン（PP）、ポリエチレン（PE）、ナイロン、ポリエステル（PET）、アクリル等が挙げられる。また、PE/PP混合不織布、PE/PET混合不織布、上記素材を適宜組み合わせたバイコンポーネント繊維（混合繊維）もトップシート１として用いることができる。
【００１９】
外装体２は、不透液性を有する不織布からなる外面シート２ａと、この外面シート２ａに貼設された透液性の内面シート２ｂとにより構成され、吸収体３の裏面側（装着時における外部側）を覆う形状に形成されている。
【００２０】
内面シート２ｂは、トップシート１と同様に、例えば、透液性の不織布等により形成されている。また、内面シート２ｂを形成する不織布の素材としては、例えば、トップシート１を形成する不織布と同様の素材が挙げられる。
【００２１】
外装体２の長手方向Ｘの一方の端部には、当該紙おむつ１００の着用者の腹周りを被覆する腹側部５が形成され、他方の端部には、着用者の背周りを被覆する背側部６が形成されているとともに、腹側部５と背側部６との間に、着用者の股間部を被覆する股下部７が形成されている。
腹側部５及び背側部６は、ほぼ等しい幅を有する略矩形状に形成されている。そして、腹側部５の幅方向Ｙ側の各端部と背側部６の幅方向Ｙ側の各端部がそれぞれ固着されて脇部１０を形成することで、紙おむつ１００がパンツ型の形状に成形されるようになっている（図３参照）。
【００２２】
また、外装体２の幅方向Ｙ側の両縁部の各々には、腹側部５の幅方向Ｙ側の各端部から股下部７を通り背側部６の幅方向Ｙ側の各端部に亘って、紙おむつ１００の着用者の脚周りを囲む一対の脚周り部８、８が形成されている。
脚周り部８は、紙おむつ１００を使用する着用者の脚周り方向に沿って配設されることで、当該着用者の脚周りを囲むようになっている。なお、脚周り方向とは、着用者の大腿骨を中心として大腿自体を囲む方向に限られず、少なくとも着用者の股下の大腿の付け根部分を通り、大腿や臀部やそけい部等の身体の外表面を覆うように延在する方向であれば良い。
また、脚周り部８には、着用者の脚周りに対応させて脚周り用開口部８１が形成されている。
【００２３】
さらに、外装体２の外面シート２ａと内面シート２ｂとの間の所定位置には、例えば、糸ゴムなどの弾性部材（例えば、背側胴周り弾性部材６ａ等）が複数本挟み込まれて固着されている。
なお、弾性部材の配置については、後述する。
【００２４】
吸収体３は、外装体２の股下部７、より具体的には、腹側部５の所定位置から股下部７を通って背側部６の所定位置に亘るように外装体２に固定されている（図１参照）。
この吸収体３は、紙おむつ１００の使用時に体液としての尿等の水様成分を吸収するものである。具体的には、吸収体３は、綿やパルプ等の吸収性素材や、繊維或いはフィルム等のシート状基材と高吸水性樹脂とが組み合わされて形成された吸収体コア３ａと、吸収体コア３ａを覆う透液性のクレープ紙等の被覆部材３ｂとを備えている。
【００２５】
吸収体コア３ａは、例えば、その長手方向Ｘがおむつ本体１の長手方向Ｘと略等しくなるように腹側部５から股下部７を通って背側部６に亘って配設されている。
さらに、吸収体コア３ａは、例えば、当該紙おむつ１００の形状に対応させて、腹側部５側及び背側部６側に対して股下部７側が幅狭となるように内側に凹んで形成されている。
【００２６】
被覆部材３ｂは、吸収体コア３ａを全体的に包装しており、透液性を有して体液を吸収する働きをなす。
【００２７】
吸収体３の外装体２側には、防水フィルム９が配設されている。
防水フィルム９は、遮水性を有し、被覆部材３ｂを通過した水様分が外装体２側に漏れることを防止する働きをなす。
【００２８】
ギャザーシート４は、紙おむつ１００におけるトップシート１側において、吸収体３の幅方向Ｙ両側縁部に、吸収体コア３ａの腹側端部から背側端部にわたり、股下両端部に相当する位置に備えられている。
また、ギャザーシート４は、不透液性の不織布のシートを二つ折りにし、折り合わされた面を、例えば、ホットメルトや、ヒートシール、超音波シール等により固着させることにより形成されている。また、ギャザーシート４は、不織布のシートを二つ折りにした状態で、その基端部がトップシート１と外面シート２ａとの間に挟まれるように固着されることにより固定されている。そして、不織布のシートが折り合わされた面間に、複数本の弾性部材（例えば、糸ゴム等）４ａ、…が挟み込まれている。
【００２９】
このような構造のギャザーシート４が紙おむつ１００に固着されて備えられた状態において、当該ギャザーシート４の自由端部が起立することにより立体ギャザー４ｂが形成される。そして、ギャザーシート４は、弾性部材４ａによって着用者の体型に合わせて伸縮自在に変形することで、着用者の身体に密着するようになっている。
【００３０】
なお、ギャザーシート４を形成する不織布は、上記したトップシート１及び外面シート２ａを形成する不織布とほぼ等しい素材から構成され、また、これら不織布の製造方法もほぼ等しくなっている。
【００３１】
次に、外装体２の外面シート２ａと内面シート２ｂとの間における弾性部材（例えば、背側胴周り弾性部材６ａ等）の配置状態について、図１及び図４を参照して説明する。
図４は、紙おむつ１００の股下部７の一点鎖線Ａで囲まれた一部分の領域を拡大して示す図である。なお、図１では、弾性部材を破線で表し、その切断箇所では破線の間隔（パターン）を変えて表している。また、図４では弾性部材を実線で表し、その切断箇所を破線で表している。
【００３２】
外装体２の背側部６には、幅方向Ｙに沿って略直線状の背側胴周り弾性部材６ａが複数本配設されている（図１参照）。
同様に、外装体２の腹側部５には、幅方向Ｙに沿って略直線状の腹側胴周り弾性部材５ａが複数本配設されている。
これら背側胴周り弾性部材６ａ及び腹側胴周り弾性部材５ａは、紙おむつ１００の使用の際に、着用者の胴周りや腰周りやそけい部等にて紙おむつ１００を伸縮自在とするものである。また、これらの弾性部材５ａ、６ａのうち、股下部７側の所定数の弾性部材は、幅方向Ｙ略中央部側の所定位置、例えば、吸収体３と上下に重なる位置にて切断されている。これにより、背側胴周り弾性部材６ａ及び腹側胴周り弾性部材５ａの収縮力によって、背側部６及び腹側部５が必要以上に中心側に引っ張られることが防止されている。
【００３３】
また、外装体２の股下部７の背側部６側には、幅方向Ｙに沿って略直線状の背側直線状弾性部材７ａが複数本配設されている。
背側直線状弾性部材７ａは、具体的には、股下部７の長手方向Ｘ略中央部より背側部６側に配設された第１背側直線状弾性部材７１ａと、背側部６に近接して配設された第２背側直線状弾性部材７２ａとを備えている。
【００３４】
第１背側直線状弾性部材７１ａは、股下部７の背側部６側の長手方向Ｘ略中央部にて幅方向Ｙに沿って、即ち、股下部７の幅方向Ｙ側両縁部の各々の脚周り部８どうしを結ぶように複数延在している。
また、第１背側直線状弾性部材７１ａは、幅方向Ｙの所定位置にて切断されている。具体的には、第１背側直線状弾性部材７１ａは、その幅方向Ｙ中央部を残すように、当該中央部の幅方向Ｙ外側の二カ所で切断されている。これにより、第１背側直線状弾性部材７１ａの幅方向Ｙ中央部の収縮力によって、股下部７の長手方向Ｘ略中央部より背側部６側の部分、即ち、股下部７の臀部側の部分が中心側に引っ張られ、外装体２の内側の吸収体３の対応する部分が肌側に盛り上がった状態となって、紙おむつ１００を使用する着用者の臀部の割れ目に対するフィット性を向上させることができる。さらに、第１背側直線状弾性部材７１ａの収縮力によって、脚周り部８が必要以上に中心側に引っ張られることを防止することができる。
【００３５】
このように、第１背側直線状弾性部材７１ａの幅方向Ｙ中央部は、外装体２の股下部７の長手方向Ｘ略中央部より背側部６側に幅方向Ｙに延在する第１弾性部材を構成している。また、第１背側直線状弾性部材７１ａの幅方向Ｙ外側部は、幅方向Ｙに延在する第３弾性部材を構成している。
つまり、第１背側直線状弾性部材７１ａを所定位置で切断することで、第１弾性部材及び第３弾性部材の両方を構成している。
【００３６】
第２背側直線状弾性部材７２ａは、背側部６に近接して幅方向Ｙに沿って、即ち、股下部７の幅方向Ｙ側両縁部の各々の脚周り部８どうしを結ぶように一本配設されている。
また、第２背側直線状弾性部材７２ａは、第１背側直線状弾性部材７１ａと同様に、当該第２背側直線状弾性部材７２ａの幅方向Ｙ中央部を残すように、当該中央部の幅方向Ｙ外側の二カ所で切断されている。これにより、第２背側直線状弾性部材７２ａの収縮力によって、脚周り部８が必要以上に中心側に引っ張られることを防止することができる。
【００３７】
なお、第１背側直線状弾性部材７１ａ及び第２背側直線状弾性部材７２ａの本数は、一例であってこれに限られるものではなく、各々の本数は適宜任意に変更可能である。
【００３８】
また、脚周り部８の幅方向Ｙ側両端部の各々には、背側部６側から股下部７にかけて延在する第１背側脚周り弾性部材８ａが配設されている。
第１背側脚周り弾性部材８ａは、外装体２の股下部７の背側部６側に設けられている。即ち、第１背側脚周り弾性部材８ａは、背側部６の幅方向Ｙの一端部であって股下部７側の端部から幅方向Ｙの他端部であって股下部７側の端部に亘り、且つ、股下部７中央側に凸となるように曲線状に配設されている。具体的には、第１背側脚周り弾性部材８ａは、例えば、脚周り部８の脚周り用開口部８１に沿うように、当該脚周り部８の幅方向Ｙ側両端部の各々から所定間隔（例えば、0〜15mm程度）を空けて配設されている。即ち、第１背側脚周り弾性部材８ａが、脚周り部８の幅方向Ｙ側両端部からあまりにも離れすぎると、当該脚周り部８の幅方向Ｙ側両端部が着用者の身体から離れ（めくれ）易くなってしまうため、当該めくれの防止を考慮した間隔に調整されている。
【００３９】
また、第１背側脚周り弾性部材８ａのうち、股下部７の長手方向Ｘ略中央部にて脚周り部８どうしを結ぶように幅方向Ｙに延在する部分（凸形状の先端部分）は、幅方向Ｙ略中央部側の所定位置、例えば、吸収体３と上下に重なる位置にて切断されている。これにより、第１背側脚周り弾性部材８ａの収縮力によって、脚周り部８の長手方向Ｘ中央部が必要以上に中心側に引っ張られることを防止することができる。
【００４０】
また、第１背側脚周り弾性部材８ａは、第１背側直線状弾性部材７１ａと重ならないように配設されている（図４参照）。
即ち、第１背側脚周り弾性部材８ａのうち、脚周り部８の幅方向Ｙ側両端部（脚周り用開口部８１）に沿って延在する部分と、第１背側直線状弾性部材７１ａの幅方向Ｙ側両端部との間に所定間隔Ｓを空けて配設されている。これにより、第１背側直線状弾性部材７１ａの収縮力が第１背側脚周り弾性部材８ａに伝達されることがなくなって、第１背側脚周り弾性部材８ａが配設された脚周り部８の幅方向Ｙ側両端部が中心側に引っ張られることを防止することができる。
【００４１】
このように、第１背側脚周り弾性部材８ａは、脚周り部８の幅方向Ｙ側両端部の各々に設けられ、背側部６側から股下部７にかけて延在する第２弾性部材を構成している。即ち、第１背側脚周り弾性部材８ａは、めくれ防止手段として、脚周り部８の幅方向Ｙ側両端部と着用者の身体とのフィット性を向上させることができ、脚周り部８の幅方向Ｙ側両端部が着用者の身体から離れる方向にめくれることを防止することができる。
なお、第１背側脚周り弾性部材８ａは、脚周り部８の着用者の身体に対するフィット性や締め付け過ぎの防止等を考慮して、所定の伸張率（例えば、110〜400％程度）に調整されているのが好ましい。
なお、伸張率とは、弾性帯を引き伸ばさない状態（自然長）の長さH0と弾性帯を引き伸ばした状態の長さH1との関係（=H1/H0）を示している。例えば、自然長10cmのものを20cmに伸張させた場合、伸張率は200％となる。
【００４２】
また、外装体２の背側部６側には、背側部６の幅方向Ｙの一端部から他端部に亘り、且つ、股下部７中央側に凸となるように曲線状に湾曲した第２背側脚周り弾性部材８ｂが複数本配設されている。
第２背側脚周り弾性部材８ｂは、紙おむつ１００の使用の際に、着用者の背側部６、特に、臀部を包み込む部分にて紙おむつ１００を伸縮自在とするものである。
【００４３】
また、複数の第２背側脚周り弾性部材８ｂ、…のうち、最も股下部７側に配設される一の第２背側脚周り弾性部材８ｂは、その股下部７における幅方向Ｙ略中央部側の所定位置、例えば、吸収体３と上下に重なる位置にて切断されている。これにより、第２背側脚周り弾性部材８ｂの収縮力によって、脚周り部８の長手方向Ｘ中央部が必要以上に中心側に引っ張られることを防止することができる。
また、残りの第２背側脚周り弾性部材８ｂは、その股下部７における幅方向Ｙ中央部よりも外側の二カ所で切断されている。即ち、第１背側直線状弾性部材７１ａの近傍に配設されている第２背側脚周り弾性部材８ｂは、第１背側直線状弾性部材７１ａと同様に、その股下部７における幅方向Ｙ中央部を残すように切断されている。これにより、第２背側脚周り弾性部材８ｂの幅方向Ｙ中央部の収縮力によって、股下部７の背側部６側の長手方向Ｘ略中央部、即ち、股下部７の臀部側の部分が中心側に引っ張られ、外装体２の内側の吸収体３の対応する部分が肌側に盛り上がった状態となって、紙おむつ１００を使用する着用者の臀部の割れ目に対するフィット性を向上させることができる。さらに、第２背側脚周り弾性部材８ｂの収縮力によって、脚周り部８の長手方向Ｘ中央部が必要以上に中心側に引っ張られることを防止することができる。
【００４４】
また、外装体２の股下部７の腹側部５側には、幅方向Ｙに沿って略直線状の腹側直線状弾性部材７ｂが複数本配設されている。
腹側直線状弾性部材７ｂは、紙おむつ１００の使用の際に、着用者のそけい部等にて紙おむつ１００を伸縮自在とするものである。また、腹側直線状弾性部材７ｂは、幅方向Ｙ略中央部側の所定位置、例えば、吸収体３と上下に重なる位置にて切断されている。これにより、腹側直線状弾性部材７ｂの収縮力によって、脚周り部８が必要以上に中心側に引っ張られることを防止することができる。
【００４５】
また、脚周り部８の幅方向Ｙ側両端部の各々には、腹側部５側から股下部７にかけて延在する第１腹側脚周り弾性部材８ｃが配設されている。
第１腹側脚周り弾性部材８ｃは、外装体２の股下部７の腹側部５側に設けられている。即ち、第１腹側脚周り弾性部材８ｃは、腹側部５の幅方向Ｙの一端部であって股下部７側の端部から幅方向Ｙの他端部であって股下部７側の端部に亘り、且つ、股下部７中央側に凸となるように曲線状に配設されている。具体的には、第１腹側脚周り弾性部材８ｃは、例えば、脚周り部８の脚周り用開口部８１に沿うように、脚周り部８の幅方向Ｙ側両端部の各々から所定間隔（例えば、0〜15mm程度）を空けて配設されている。即ち、第１腹側脚周り弾性部材８ｃが、脚周り部８の幅方向Ｙ側両端部からあまりにも離れすぎると、当該脚周り部８の幅方向Ｙ側両端部がめくれ易くなってしまうため、当該めくれの防止を考慮した間隔に調整されている。
【００４６】
また、第１腹側脚周り弾性部材８ｃのうち、股下部７の長手方向Ｘ略中央部にて脚周り部８どうしを結ぶように幅方向Ｙに延在する部分（凸形状の先端部分）は、幅方向Ｙ略中央部側の所定位置、例えば、吸収体３と上下に重なる位置にて切断されている。これにより、第１腹側脚周り弾性部材８ｃの収縮力によって、脚周り部８の長手方向Ｘ中央部が必要以上に中心側に引っ張られることを防止することができる。
【００４７】
また、第１腹側脚周り弾性部材８ｃは、腹側直線状弾性部材７ｂと重ならないように配設されている（図４参照）。
即ち、第１腹側脚周り弾性部材８ｃのうち、脚周り部８の幅方向Ｙ側両端部（脚周り用開口部８１）に沿って延在する部分と、腹側直線状弾性部材７ｂの幅方向Ｙ側両端部との間に所定間隔を空けて配設されている。これにより、腹側直線状弾性部材７ｂの収縮力が第１腹側脚周り弾性部材８ｃに伝達されることがなくなって、第１腹側脚周り弾性部材８ｃが配設された脚周り部８の幅方向Ｙ側両端部が中心側に引っ張られることを防止することができる。
【００４８】
このように、第１腹側脚周り弾性部材８ｃは、脚周り部８の幅方向Ｙ側両端部の各々に設けられ、腹側部５側から股下部７にかけて延在する第４弾性部材を構成している。
なお、第１腹側脚周り弾性部材８ｃは、脚周り部８の着用者の身体に対するフィット性や締め付け過ぎの防止等を考慮して、所定の伸張率（例えば、110〜400％程度）に調整されているのが好ましい。
【００４９】
また、外装体２の腹側部５側には、腹側部５の幅方向Ｙの一端部から他端部に亘り、且つ、股下部７中央側に凸となるように曲線状に湾曲した第２腹側脚周り弾性部材８ｄが複数本配設されている。
第２腹側脚周り弾性部材８ｄは、紙おむつ１００の使用の際に、着用者の腹側部５、特に、そけい部にて紙おむつ１００を伸縮自在とするものである。
【００５０】
また、複数の第２腹側脚周り弾性部材８ｄ、…は、その股下部７における幅方向Ｙ略中央部側の所定位置、例えば、吸収体３と上下に重なる位置にて切断されている。これにより、第２腹側脚周り弾性部材８ｄの収縮力によって、脚周り部８の長手方向Ｘ中央部が必要以上に中心側に引っ張られることを防止することができる。
【００５１】
次に、上記の各弾性部材の外装体２に対する配設方法について説明する。
ここで、各弾性部材の外装体２に対する配設は、当該外装体２に対する吸収体３の取り付け以前に行われるようになっている。
【００５２】
各弾性部材は、所定の力で引っ張られた状態で例えばホットメルト接着剤が塗布された外面シート２ａ上に配設されるようになっている。具体的には、紙おむつ１００を使用する着用者の胴周り、脚周り、腹側、背側等の各部位に応じて、背側胴周り弾性部材６ａ、腹側胴周り弾性部材５ａ、背側直線状弾性部材７ａ、第１背側脚周り弾性部材８ａ、第２背側脚周り弾性部材８ｂ、腹側直線状弾性部材７ｂ、第１腹側脚周り弾性部材８ｃ、第２腹側脚周り弾性部材８ｄ等の各弾性部材が所定の伸張率となるように外面シート２ａ上の所定位置に配設する。
そして、各弾性部材を覆うように外面シート２ａに内面シート２ｂが重ね合わされて、これら外面シート２ａと内面シート２ｂがヒートシールされる。
その後、背側胴周り弾性部材６ａ、腹側胴周り弾性部材５ａ、背側直線状弾性部材７ａ、第１背側脚周り弾性部材８ａ、第２背側脚周り弾性部材８ｂ、腹側直線状弾性部材７ｂ、第１腹側脚周り弾性部材８ｃ、第２腹側脚周り弾性部材８ｄは、所定位置にて切断されるようになっている。
【００５３】
以上のように、本実施形態の紙おむつ１００によれば、外装体２の股下部７の長手方向Ｘ略中央部より背側部６側に幅方向Ｙに延在する第１背側直線状弾性部材７１ａを設けて臀部の割れ目に対する装着性を向上させた構造であっても、着用者の脚周り方向に沿って配設される一対の脚周り部８、８の幅方向Ｙ側両端部が着用者の身体から離れる方向にめくれることを防止することができ、当該脚周り部８の着用者の身体に対する装着性を向上させることができる。
即ち、脚周り部８の幅方向Ｙ側両端部の各々に、背側部６側から股下部７にかけて延在する第１背側脚周り弾性部材８ａが設けられているので、第１背側直線状弾性部材７１ａにより外装体２が幅方向Ｙ中央部側に引き付けられても、第１背側脚周り弾性部材８ａにより脚周り部８の背側における幅方向Ｙ側両縁部を着用者の身体に密着させて当該着用者の身体との間に隙間を生じさせ難くすることができる。これにより、脚周り部８の幅方向Ｙ側両端部のめくれを防止することができる。
【００５４】
また、第１背側直線状弾性部材７１ａは、第１背側脚周り弾性部材８ａ側の端部が第１背側脚周り弾性部材８ａとの間に所定間隔Ｓを空けて配設されているので、第１背側直線状弾性部材７１ａの収縮力が第１背側脚周り弾性部材８ａに伝達されることがなくなって、第１背側脚周り弾性部材８ａが配設された脚周り部８の幅方向Ｙ側両端部が中心側に引っ張られることを防止することができる。従って、第１背側脚周り弾性部材８ａにより脚周り部８の着用者の身体に対する装着性を向上させることができる。
【００５５】
さらに、脚周り部８の幅方向Ｙ側両端部の各々に、腹側部５側から股下部７にかけて延在する第１腹側脚周り弾性部材８ｃが設けられているので、第１腹側脚周り弾性部材８ｃにより脚周り部８の腹側における幅方向Ｙ側両縁部を着用者の身体に密着させて当該着用者の身体との間に隙間を生じさせ難くすることができる。これにより、脚周り部８の幅方向Ｙ側両端部のめくれを防止することができる。
【００５６】
以下に、紙おむつ１００の変形例について説明する。
＜変形例１＞
図５は、変形例１の紙おむつ２００を組み立てた状態を示す斜視図である。
なお、変形例１の紙おむつ２００は、以下に説明する長さ調整部材２０１を備える以外の点で上記実施形態におけるものと同様であるので、その説明を省略する。
【００５７】
変形例１の紙おむつ２００は、図５に示すように、脚周り部８の幅方向Ｙ側両端部の各々に、当該脚周り部８の脚周り方向の長さを調整するための長さ調整部材２０１が設けられている。なお、図５にあっては、正面視にて右側に配設されている長さ調整部材２０１のみを図示している。
【００５８】
長さ調整部材２０１は、当該紙おむつ１００の脇部１０、即ち、腹側部５の幅方向Ｙ側の各端部と背側部６の幅方向Ｙ側の各端部がそれぞれ固着された部分の近傍に配設されている。
この長さ調整部材２０１は、脚周り部８の幅方向Ｙ側両端部のめくれを防止するめくれ防止手段を構成し、例えば、Ｚ折り状に形成された止着用のテープ等から構成されている。そして、当該長さ調整部材２０１の「Ｚ」状を構成する下平面部が、脚周り部８の背側部６側の端部の所定位置に止着されており、着用者の身体の脚周り部８が囲む部分の寸法に応じて、「Ｚ」状を構成する上平面部の止着位置を変更することで脚周り部８の脚周り方向の長さを調整可能となっている。
【００５９】
従って、変形例１の紙おむつ２００によれば、長さ調整部材２０１により脚周り部８の脚周り方向の長さを調整することができ、着用者によって脚周りのサイズが異なる場合であっても、各々の着用者の脚周りと脚周り部８との隙間を少なくすることができる。これにより、脚周り部８の幅方向Ｙ側両端部のめくれをさらに適正に防止することができ、当該脚周り部８の着用者の身体に対する装着性を向上させることができる。
また、長さ調整部材２０１に当該紙おむつ２００の前後を表示する前後表示部を設けることで、着用者に紙おむつ２００の前後を認識させ易くすることができる。
さらに、当該紙おむつ２００を使用後に廃棄する際に、コンパクトに折り畳んだ状態の固定に長さ調整部材２０１を利用することもできる。
【００６０】
なお、上記変形例１にあっては、長さ調整部材２０１を、第２弾性部材としての第１背側脚周り弾性部材８ａを具備する紙おむつ２００に設けるようにしたが、一例であってこれに限られるものではなく、長さ調整部材２０１が設けられる紙おむつ２００に第１背側脚周り弾性部材８ａ（第２弾性部材）を具備するか否かは適宜任意に変更可能である。
【００６１】
＜変形例２＞
図６は、変形例２の紙おむつ３００を組み立てた状態を示す斜視図である。
なお、変形例２の紙おむつ３００は、以下に説明する当該紙おむつ３００の外形以外の点で上記実施形態におけるものと同様であるので、その説明を省略する。
【００６２】
変形例２の紙おむつ３００は、図６に示すように、当該紙おむつ３００の脇部１０、即ち、腹側部５の幅方向Ｙ側の各端部と背側部６の幅方向Ｙ側の各端部がそれぞれ固着された部分の長さが、上記実施形態の紙おむつ１００に比べて長いトランクス型の紙おむつ３００である。
即ち、紙おむつ３００は、背側部６及び腹側部５の長手方向Ｘの長さが上記実施形態の紙おむつ１００に比べて長くなっており、着用者の身体の当該背側部６及び腹側部５により被覆される部分が大腿側に拡がっている。
これにより、紙おむつ３００を使用する着用者の脚周り方向に沿って配設される脚周り部８を着用者の大腿と接触させるように配置して、脚周り部８の着用者の身体に対する装着性を向上させることができる。
【００６３】
従って、変形例２の紙おむつ３００によれば、上記実施形態と同様に、着用者の脚周り方向に沿って配設される一対の脚周り部８、８の幅方向Ｙ側両端部のめくれを防止することができ、当該脚周り部８の着用者の身体に対する装着性を向上させることができる。
【００６４】
なお、本発明は、上記実施形態に限定されることなく、本発明の趣旨を逸脱しない範囲において、種々の改良並びに設計の変更を行っても良い。
例えば、上記実施形態にあっては、脚周り部８の幅方向Ｙ側両端部の各々を脚周り方向に伸縮させるような構造としても良く、これにより、脚周り部８と着用者の身体との隙間を少なくして、脚周り部８の着用者の身体に対する装着性を向上させることができる。
【００６５】
同様に、脚周り部８の幅方向Ｙ側両端部の各々の着用者の肌側の面に、例えば、粘着テープ等の粘着性の部材を配設して、脚周り部８の幅方向Ｙ側両端部の各々と着用者の肌とを密着させるようにしても良い。
【００６６】
また、上記実施形態にあっては、第１背側直線状弾性部材７１ａを股下部７の幅方向Ｙ側両縁部の各々の脚周り部８どうしを結ぶように配設し、当該第１背側直線状弾性部材７１ａの幅方向Ｙ中央部によって、第１弾性部材を構成し、第１背側直線状弾性部材７１ａの幅方向Ｙ外側部によって、第３弾性部材を構成するようにしたが、第１背側直線状弾性部材７１ａは、少なくとも外装体２の股下部７の長手方向Ｘ略中央部より背側部６側にて幅方向Ｙに延在するような形状であれば良い。即ち、第１背側直線状弾性部材７１ａを、必ずしも股下部７の幅方向Ｙ側両縁部の各々の脚周り部８どうしを結ぶように配設する必要はなく、紙おむつ１００が第３弾性部材を具備するか否かは適宜任意に変更可能である。
さらに、紙おむつ１００が第３弾性部材を具備する構成においても、第１弾性部材とは異なる弾性部材から構成されても良い。
【００６７】
また、上記実施形態にあっては、第４弾性部材としての第１腹側脚周り弾性部材８ｃを具備する構成を例示したが、一例であってこれに限られるものではなく、第１腹側脚周り弾性部材８ｃを具備するか否かは適宜任意に変更可能である。
【符号の説明】
【００６８】
１００、２００、３００  紙おむつ（吸収性物品）
２      外装体
３      吸収体
５      腹側部
６      背側部
７      股下部
８      脚周り部
７１ａ  第１背側直線状弾性部材（第１弾性部材、第３弾性部材）
８ａ    第１背側脚周り弾性部材（第２弾性部材、めくれ防止手段）
８ｃ    第１腹側脚周り弾性部材（第４弾性部材）
２０１  長さ調整部材（めくれ防止手段）
【図１】
0005721987.tif 000002
【図２】
0005721987.tif 000003
【図３】
0005721987.tif 000004
【図４】
0005721987.tif 000005
【図５】
0005721987.tif 000006
【図６】
0005721987.tif 000007